(57)【要約】【課題】      映像モード切り換え時における画像の乱れを回避した表示制御装置を提供する。【解決手段】  入力同期信号Evsyncと入力映像信号Vinを供給され，入力映像信号から入力同期信号に基づく表示データSFｗ,SFrを生成して，表示手段に当該表示データを供給する表示制御装置100において，入力同期信号の周期の変化を検出した時に，その後所定数のフレーム期間にわたり，当該周期の変化が発生する前のフレームの表示データを表示手段に供給する。入力同期信号の周期の変化が発生するまえの正常な表示データを，同期変化時に所定数フレーム期間表示手段に供給するので，画像の乱れを回避することができる。また，周期変化前の静止画像を繰り返し表示するので，ユーザに不快感を与えることがない。【選択図】    図１
2006235151.tif 000002
【特許請求の範囲】
【請求項１】
入力同期信号と入力映像信号を供給され，前記入力映像信号から前記入力同期信号に基づいて表示データを生成し，表示手段に当該表示データを供給する表示制御装置において，
前記入力同期信号の周期の変化を検出した時に，その後の所定数のフレーム期間にわたり，当該周期の変化が発生する前のフレームの表示データを前記表示手段に供給する表示制御装置。
【請求項２】
請求項１において，
前記入力同期信号に基づいて映像モードを判別する映像モード判別ユニットと，
前記入力映像信号から表示データを生成する表示データ生成ユニットと，
前記表示データをフレームに対応して格納するフレームメモリと，
当該フレームメモリへの表示データの書き込みと読み出しを制御するメモリ制御ユニットとを有し，
前記メモリ制御ユニットは，第１のフレームの入力映像信号から生成された第１の表示データを前記フレームメモリに書き込み，前記第１のフレームに後続する第２のフレームにおいて前記フレームメモリから第１の表示データを読み出して，前記表示手段に供給し，
さらに，第２のフレーム期間で前記映像モード判別ユニットが前記入力同期信号の周期の変化を検出すると，それに応答して，前記メモリ制御ユニットは，後続する所定数のフレーム期間において，前記第１の表示データを繰り返し表示手段に供給する表示制御装置。
【請求項３】
請求項１において，
前記入力同期信号に基づいて映像モードを判別する映像モード判別ユニットと，
前記入力映像信号から表示データを生成する表示データ生成ユニットと，
前記表示データをフレームに対応して格納するフレームメモリと，
当該フレームメモリへの表示データの書き込みと読み出しを制御するメモリ制御ユニットとを有し，
前記メモリ制御ユニットは，第１のフレームメモリ領域と第２のフレームメモリ領域とに交互に現フレームの入力映像信号の表示データを書き込み，交互に前フレームの入力映像信号の表示データを読み出して表示手段に供給し，
さらに，前記映像モード判別ユニットが前記入力同期信号の周期の変化を検出すると，それに応答して，前記メモリ制御ユニットは，後続するフレーム期間において，当該周期の変化を検出する前のフレーム期間において前記フレームメモリに書き込んだ表示データを繰り返し表示手段に供給する表示制御装置。
【請求項４】
請求項３において，
前記メモリ制御ユニットは，前記後続するフレーム期間において，各フレーム期間の入力映像信号に対応する表示データを一方のフレームメモリ領域に書き込み，前記周期の変化を検出する前のフレーム期間において前記フレームメモリに書き込んだ表示データを他方のフレームメモリ領域から読み出す表示制御装置。
【請求項５】
請求項１において，
前記所定数のフレーム期間後は，入力映像信号に対応する表示データを前記表示手段に供給する表示制御装置。
【請求項６】
請求項１において，
前記入力同期信号の周期が複数フレームにわたり安定したことを検出した時に，その後，前記周期の変化が発生する前のフレームの表示データの前記表示手段への供給を終了し，入力映像信号に対応する表示データの前記表示手段への供給を再開する表示制御装置。
【請求項７】
入力同期信号と入力映像信号を供給され，前記入力映像信号から前記入力同期信号に基づいて表示データを生成し，表示手段に当該表示データを供給する表示制御装置において，
前記入力同期信号から映像モードの変化を検出した時に，その後の所定数のフレーム期間にわたり，当該映像モードの変化が発生する前のフレームの表示データを前記表示手段に供給し，前記所定数のフレーム期間後は入力映像信号に対応する表示データを前記表示手段に供給する表示制御装置。
【請求項８】
入力同期信号と入力映像信号を供給され，前記入力映像信号から前記入力同期信号に基づいて表示データを生成する表示制御装置と，
前記表示制御装置から表示データを供給され，当該表示データに基づいて表示を行う表示手段とを有する表示装置において，
前記表示制御装置は，前記入力同期信号の周期の変化を検出した時に，その後の所定数のフレーム期間にわたり，当該周期の変化が発生する前のフレームの表示データを前記表示手段に供給することを特徴とする表示装置。
【請求項９】
入力同期信号と入力映像信号を供給され，前記入力映像信号から前記入力同期信号に基づいて表示データを生成する表示制御装置と，
前記表示制御装置から表示データを供給され，当該表示データに基づいて表示を行う表示手段とを有する表示装置において，
前記表示制御装置は，前記入力同期信号から映像モードの変化を検出した時に，その後の所定数のフレーム期間にわたり，当該映像モードの変化が発生する前のフレームの表示データを前記表示手段に供給し，前記所定数のフレーム期間後は入力映像信号に対応する表示データを前記表示手段に供給することを特徴とする表示装置。
【発明の詳細な説明】
【技術分野】
【０００１】
本発明は，表示パネルの表示制御装置及びそれを有する表示装置に関し，特に，映像モード切り換え時などの表示画面の乱れを防止した表示制御装置及びそれを有する表示装置に関する。
【背景技術】
【０００２】
本発明が適用される表示パネル装置は，例えば，プラズマ・ディスプレイ・パネル（以下ＰＤＰ）や液晶表示パネル（以下ＬＣＤ）など，入力映像信号に対して所定の信号処理を行って表示データを生成し，その表示データにより入力映像信号に対応する画像を表示するものである。
【０００３】
上記の表示パネル装置は，例えばＮＴＳＣ方式の入力映像信号と同期信号（または両信号が複合されたコンポジット信号）を入力し，その同期信号に応じて入力映像信号を処理し，表示制御に必要な表示データを生成する表示制御装置と，表示制御装置が生成した表示データに基づいて駆動制御される表示パネルとで構成される。表示制御装置は，入力同期信号の周期をモニタして映像モードを判定し，判定された映像モードに基づいて入力映像信号から表示データを生成する。
【０００４】
ＰＤＰを例にして説明すると，１フレームが複数のサブフレームで構成され，その複数のサブフレームはそれぞれ異なる維持放電期間を有する。そして，複数のサブフレームを適宜組合せることによりそのフレームで必要な輝度を再現する。そのため，表示制御装置は，点順次で供給される入力映像信号から同期信号に基づいて各画素の階調値を抽出し，さらに，各画素の階調値をサブフレームデータに変換して表示データを生成する。つまり，表示データはサブフレームデータからなる。
【０００５】
サブフレームは，少なくともアドレス期間と維持放電期間とを有し，それに対応する期間が必要である。そのため，入力同期信号の周期が異なる映像モードに応じて，１フレーム期間内で表示できるサブフレームの数が異なってくる。したがって，表示制御装置は，入力同期信号から映像モードを判別し，判別した映像モードに応じたサブフレーム数に対応して，表示データを生成する必要がある。このように，異なる映像モードに対応して内部の表示制御を行うことは，例えば特許文献１に記載されている。
【０００６】
一方，表示制御装置は，フレーム内の表示データ（ＰＤＰの例ではサブフレームデータ）を生成すると，その表示データを一旦フレームメモリに格納する。そして，その後のフレーム期間で，フレームメモリに格納した表示データを読み出して，表示パネルに供給する。表示パネルでは，供給された表示データにしたがってパネル内の電極駆動が行われる。このフレームメモリは，現在のフレームの入力映像信号に対応する表示データが書き込まれる第１のフレームメモリ領域と，現在のフレームで表示すべき表示データが読み出される第２のフレームメモリ領域とを有する。そして，あるフレーム期間において入力映像信号に対応する表示データが第１のフレームメモリ領域に書き込まれると，次のフレーム期間でその第１のフレームメモリ領域から表示データが読み出され，表示パネルでの表示制御に利用される。そして，当該次のフレーム期間では入力映像信号に対応する表示データが第２のフレームメモリ領域に書き込まれる。このように，フレームメモリは，書き込まれる領域と読み出される領域とからなるダブルバッファ構成になっている。このようなダブルバッファ構成のフレームメモリは，例えば，特許文献２に記載されている。
【特許文献１】特開平８−７６７１６号公報
【特許文献２】特開平１０−３０７５６２号公報
【発明の開示】
【発明が解決しようとする課題】
【０００７】
表示装置の映像信号には，複数種類の映像モードが存在する。たとえば，ＮＴＳＣ方式のテレビ信号では，６０Ｈｚの同期信号に基づいて映像信号が構成されているが，同期信号が５０Ｈｚの映像モードや，７０Ｈｚの映像モードなどが考えられる。表示装置は，これらの異なる映像モードの入力映像信号に対しても適切に表示することが求められている。
【０００８】
その場合問題となるのは，映像モードが切り換えられたときの表示制御方法である。映像モードが６０Ｈｚの同期信号から５０Ｈｚの同期信号に切り換えられた場合，表示制御装置は，入力同期信号の周期を監視し，入力同期信号の周期が切り換えられたことを判別し，判別した映像モードに基づいて表示データを生成する。
【０００９】
しかしながら，映像モードが切り換えられた瞬間は，切り換えが発生したフレームにおいて，切り換え前の映像モードの入力映像信号から生成した表示データと，切り換え後の映像モードの入力映像信号から生成した表示データとが共にフレームメモリに書き込まれる。したがって，次にフレームでその書き込まれた表示データをそのまま読み出して表示パネルに供給すると，乱れた画像が表示されることになる。
【００１０】
同様に，発局（チャネル）が切り換えられた場合には，たとえ同じ映像モードであっても，各チャネル間で同期が取られていないので，切り換えた瞬間は，切り換えが発生したフレームで両チャネルの表示データがフレームメモリに書き込まれ，映像モード切り換え時と同じ問題が生じる。
【００１１】
さらに，表示制御装置は，同期信号の切り換えを判定する時，複数フレーム連続して同じ周期の同期信号が入力されたことを確認して初めて映像モードの切り換えを検出する。これにより，同期信号に重畳したノイズに過剰応答して，誤って映像モードの切り換えを検出してしまうのを回避する。そのため，映像モードが切り換えられた直後の数フレーム期間では，表示制御装置内部の映像モードと入力映像信号の映像モードとが整合せず，その間は表示画像が乱れてしまう。
【００１２】
従来は，上記の問題点を考慮して，映像モード切り換え時に，所定数のフレームで全面黒の画像を表示することなどが行われている。しかしながら，そのような全面黒の画像を数フレームにわたり表示することは，ユーザに必ずしも許容されるものではなく，他の表示制御が望まれる。
【００１３】
そこで，本発明の目的は，映像モード切り換え時における画像の乱れを回避した表示制御装置及びそれを有する表示装置を提供することにある。
【課題を解決するための手段】
【００１４】
上記の目的を達成するために，本発明の第１の側面によれば，入力同期信号と入力映像信号を供給され，前記入力映像信号から前記入力同期信号に基づいて表示データを生成し，表示手段に当該表示データを供給する表示制御装置において，前記入力同期信号の周期の変化を検出した時に，その後の所定数のフレーム期間にわたり，当該周期の変化が発生する前のフレームの表示データを前記表示手段に供給する。つまり，入力同期信号の周期を監視し，その周期の変化が発生すると，映像モードの切り換え処理が完了するまでの間，周期の変化が発生する前のフレームの表示データを出力して表示させることで，映像モード切り換え時における画像の乱れを最小限に止めることができる。映像モードの切り換え処理が完了すると，通常通り入力映像信号に対応する表示データを表示手段に供給する。
【００１５】
上記の本発明の第１の側面において，好ましい実施例では，前記入力同期信号に基づいて映像モードを判別する映像モード判別ユニットと，前記入力映像信号から表示データを生成する表示データ生成ユニットと，前記表示データをフレームに対応して格納するフレームメモリと，当該フレームメモリへの表示データの書き込みと読み出しを制御するメモリ制御ユニットとを有する。そして，前記メモリ制御ユニットは，第１のフレームの入力映像信号から生成された第１の表示データを前記フレームメモリに書き込み，前記第１のフレームに後続する第２のフレームにおいて前記フレームメモリから第１の表示データを読み出して，前記表示手段に供給する。さらに，第２のフレーム期間で前記映像モード判別ユニットが前記入力同期信号の周期の変化を検出すると，それに応答して前記メモリ制御ユニットは，後続する所定数のフレーム期間において，前記第１の表示データを繰り返し表示手段に供給する。この構成によれば，入力同期信号の周期に変化が生じた場合，それに後続する期間の間，周期に変化が生じる前の第１のフレームで格納した第１の表示データを表示手段に供給するので，乱れのない画像を表示することができ，画像の乱れを回避できる。
【００１６】
上記の本発明の第１の側面において，より好ましい実施例では，前記入力同期信号に基づいて映像モードを判別する映像モード判別ユニットと，前記入力映像信号から表示データを生成する表示データ生成ユニットと，前記表示データをフレームに対応して格納するフレームメモリと，当該フレームメモリへの表示データの書き込みと読み出しを制御するメモリ制御ユニットとを有する。そして，前記メモリ制御ユニットは，第１のフレームメモリ領域と第２のフレームメモリ領域とに交互に現フレームの入力映像信号の表示データを書き込み，交互に前フレームの入力映像信号の表示データを読み出して表示手段に供給する。更に，前記映像モード判別ユニットが前記入力同期信号の周期の変化を検出すると，それに応答して前記メモリ制御ユニットは，後続する所定数のフレーム期間において，当該周期の変化を検出する前のフレーム期間において前記フレームメモリに書き込んだ表示データを繰り返し表示手段に供給する。
【００１７】
上記の実施例において，より好ましい実施例では，前記映像モード判別ユニットが入力同期信号の周期の安定を判別して映像モードを判別するまで，前記表示データの繰り返し供給を継続する。これにより，内部で映像モードが判別されて内部の動作が新たな映像モードで制御されるまでの間は，同じ表示データを出力して表示手段にその静止画像を表示させることができる。よって，少なくとも画像の乱れを回避することができる。
【００１８】
上記の目的を達成するために，本発明の第２の側面によれば，入力同期信号と入力映像信号を供給され，前記入力映像信号から前記入力同期信号に基づいて表示データを生成し，表示手段に当該表示データを供給する表示制御装置において，前記入力同期信号から映像モードの変化を検出した時に，その後の所定数のフレーム期間にわたり，当該映像モードの変化が発生する前のフレームの表示データを前記表示手段に供給し，前記所定数のフレーム期間後は入力映像信号に対応する表示データを前記表示手段に供給する。
【発明の効果】
【００１９】
本発明によれば，映像モードが切り換えられた時に，乱れのない画像を表示することができ，画像の乱れを回避することができる。
【発明を実施するための最良の形態】
【００２０】
以下，図面にしたがって本発明の実施の形態について説明する。但し，本発明の技術的範囲はこれらの実施の形態に限定されず，特許請求の範囲に記載された事項とその均等物まで及ぶものである。
【００２１】
図１は，本実施の形態における表示制御装置の構成図である。図１の表示制御装置１００は，外部同期信号ＥＶｓｙｎｃの周期をモニタリングし，その周期から映像モードを判別する映像モード判別ユニット１０と，入力映像信号Ｖｉｎから表示データＳＦｗを生成する表示データ生成ユニット２０と，表示データが一時的に格納されるフレームメモリＦＭと，フレームメモリＦＭへの書き込みと読み出しを制御するメモリ制御ユニットＭＣＯＮとを有する。映像モード判別ユニット１０は，外部同期信号ＥＶｓｙｎｃの周期をモニタし映像モードを判別し，映像モード信号ＶＭｏｄｅを生成する。また，映像モード判別ユニット１０は，外部同期信号ＥＶｓｙｎｃからノイズをカットして内部同期信号ＩＶｓｙｎｃを生成し，さらに外部同期信号ＥＶｓｙｎｃの周期をモニタし，安定した周期が検出されると安定化信号ＳＴＢを安定状態にし，周期が変化すると安定化信号ＳＴＢを不安定状態にする。
【００２２】
表示データ生成ユニット２０は，画像処理ユニット１２と，サブフレーム生成ユニット１４とを有する。画像処理ユニット１２は，映像信号Ｖｉｎを内部同期信号ＩＶｓｙｎｃに基づいて画素毎の階調信号を抽出し，ガンマ処理，誤差拡散処理，ディザ処理などの画像処理を行い，画素の階調信号Ｖｐｉｘを生成する。また，サブフレーム生成ユニット１４は，画素の階調信号Ｖｐｉｘから映像モードＶＭｏｄｅに応じたサブフレームデータＳＦｗに変換する。ここで生成されたサブフレームデータＳＦｗは，フレームメモリＦＭに書き込むための表示データとしてメモリ制御ユニットＭＣＯＮに供給される。
【００２３】
フレームメモリＦＭは，第１のフレーム領域ＦＭ１と第２のフレーム領域ＦＭ２とを有する。そして，メモリ制御ユニットＭＣＯＮにより，一方のフレーム領域に表示データの書き込みが行われ，同時に他方のフレーム領域から表示データの読み出しが行われる。つまり，フレームメモリＦＭは，ダブルバッファ構成になっている。
【００２４】
メモリ制御ユニットＭＣＯＮは，あるフレーム期間においては，供給されるサブフレームデータＳＦｗを一方のフレーム領域に書き込み，同時に他方のフレーム領域からサブフレームデータＳＦｒを読み出す。そして，次のフレーム期間では，一方のフレーム領域から書き込み済みのサブフレームデータＳＦｒを読み出し，他方のフレーム領域にサブフレームデータＳＦｗを書き込む。つまり，メモリ制御ユニットＭＣＯＮは，フレーム毎に，第１及び第２のフレーム領域ＦＭ１，ＦＭ２への書き込みと読み出しとを交互に行うよう制御する。この書き込みと読み出しの制御は，メモリ制御ユニットＭＣＯＮからの読み出し・書き込み信号Ｒ／Ｗ１，Ｒ／Ｗ２により行われる。
【００２５】
サブフレームデータ出力ユニット１６は，メモリ制御ユニットＭＣＯＮが読み出したサブフレームデータＳＦｒを表示データとして図示しない表示手段に出力する。サブフレームデータ出力ユニット１６には，映像モード信号ＶＭｏｄｅが供給され，その映像モードに対応して，サブフレームデータＳＦｒが表示手段に出力される。
【００２６】
映像モード判別ユニット１０は，外部同期信号ＥＶｓｙｎｃの周期の乱れが発生すると，安定化信号ＳＴＢを不安定状態にし，その後の外部同期信号ＥＶｓｙｎｃの周期の安定を監視する。そして，数フレームにわたり外部同期信号ＥＶｓｙｎｃの周期が安定したのを検出すると，その周期に対応する映像モード信号ＶＭｏｄｅを出力すると共に，安定化信号ＳＴＢを安定状態に切り換える。
【００２７】
メモリ制御ユニットＭＣＯＮは，安定化信号ＳＴＢが安定状態の時は，内部同期信号ＩＶｓｙｎｃに同期して，第１及び第２のフレーム領域ＦＭ１，ＦＭ２への書き込みと読み出しとを交互に切り換える。これにより，外部同期信号ＥＶｓｙｎｃが安定している間は，あるフレーム期間において，現フレームの表示データが一方のフレーム領域に書き込まれ，前フレームの表示データが他方のフレーム領域から読み出され，次フレーム期間において，そのフレームの表示データが他方のフレーム領域に書き込まれ，現フレーム（次フレームの前のフレーム）の表示データが一方のフレーム領域から読み出される。つまり，安定期間では，両フレーム領域ＦＭ１，ＦＭ２への書き込みと読み出しとが交互に制御される。
【００２８】
一方，メモリ制御ユニットＭＣＯＮは，安定化信号ＳＴＢが不安定状態になると，上記第１及び第２のフレーム領域ＦＭ１，ＦＭ２への書き込みと読み出しの交互の切り換えを停止し，一方のフレーム領域からのサブフレームデータＳＦｒの読み出しと，他方のフレーム領域へのサブフレームデータＳＦｗの書き込みとを繰り返す。この繰り返しは，安定化信号ＳＴＢが安定状態になるで継続する。この繰り返し読み出されるサブフレームデータＳＦｒは，外部同期信号ＥＶｓｙｎｃが不安定状態になる前のフレームで書き込まれたデータであり，乱れのない画像を生成するデータである。そのため，表示手段は，同じサブフレームデータＳＦｒを繰り返し供給され，安定化信号ＳＴＢが不安定状態の間は，それに対応する静止画像が繰り返し表示される。
【００２９】
図２は，本実施の形態における表示手段である表示パネルの構成図である。この例では，ＰＤＰ表示パネルが示される。表示パネル３０は，表示側基板上で水平方向に延びるＸ電極Ｘ０，Ｘ１とＹ電極Ｙ０，Ｙ１，及び背面基板上で垂直方向に延びるアドレス電極Ａ０，Ａ１とを有する。内部同期信号ＩＶｓｙｎｃと，表示データであるサブフレームデータＳＦｒと，映像モード信号ＶＭｏｄｅとが，表示制御装置１００からパネル駆動制御ユニット３２に供給される。パネル駆動制御ユニット３２は，サブフレームデータＳＦｒにしたがうアドレス信号をアドレス電極駆動ユニット３８に供給し，映像モード信号ＶＭｏｄｅに対応して，内部同期信号ＩＶｓｙｎｃに同期して，Ｘ電極駆動ユニット３４によるＸ電極駆動と，Ｙ電極駆動ユニット３６によるＹ電極駆動とを制御する。
【００３０】
表示パネル３０では，アドレス期間にて，Ｘ電極の走査に同期してアドレス信号に対応するアドレス電極Ａ０が駆動され，維持放電期間にて，Ｘ，Ｙ電極が交互に駆動されてアドレス期間に点灯されたセルで維持放電される。そして，維持放電期間が映像モードＶＭｏｄｅに対応して制御される。
【００３１】
図３は，表示モード切り換え時の表示制御装置１００の動作タイミング図である。図３は，従来の動作を示している。この例では，垂直同期タイミングＶ０，Ｖ１，Ｖ２までは映像モードＭ１の入力映像信号Ｖｉｎを受信し，垂直同期タイミングＶ３で映像モードＭ２に切り替わり，その後のタイミングＶ４，Ｖ５，Ｖ６では映像モードＭ２の入力映像信号Ｖｉｎを受信する。よって，垂直同期タイミングＶ０〜Ｖ２では，入力映像信号Ｎ，Ｎ＋１，Ｎ＋２が入力され，垂直同期タイミングＶ３〜Ｖ６では，入力映像信号Ｎ＋３〜Ｎ＋６が入力される。また，映像モード判別ユニット１０は，外部垂直同期信号ＥＶｓｙｎｃから同期タイミングＶ３のパルスを除去した内部垂直同期信号ＩＶｓｙｎｃを生成する。また，映像モード判別ユニット１０は，外部垂直同期信号ＥＶｓｙｎｃの周期を監視し，その映像モードを判別し，映像モード信号ＶＭｏｄｅを生成する。
【００３２】
メモリ制御ユニットＭＣＯＮは，内部垂直同期信号ＩＶｓｙｎｃに応答して，サブフレームデータＳＦｗを第１及び第２のフレーム領域ＦＭ１，ＦＭ２に交互に書き込み，書き込み済みのサブフレームデータＳＦｒを両フレーム領域ＦＭ２，ＦＭ１から交互に読み出す。そのために，書き込み・読み出し制御信号Ｒ／Ｗ１，Ｒ／Ｗ２を，交互に，書き込み状態Ｗ１と読み出し状態Ｒ２，及び読み出し状態Ｒ１と書き込み状態Ｗ２に制御する。
【００３３】
たとえば，同期タイミングＶ０のフレームでは，入力映像信号Ｎに対応するサブフレームデータＳＦｗが書き込み制御信号Ｗ１により第１のフレーム領域ＦＭ１に書き込まれ，入力映像信号Ｎ−１に対応するサブフレームデータＳＦｒが読み出し制御信号Ｒ２により第２のフレーム領域ＦＭ２から読み出される。また，同期タイミングＶ１のフレームでは，上記と逆のフレーム領域に現フレームの入力映像信号Ｎ＋１に対応するサブフレームデータＳＦｗが書き込まれ，前フレームの入力映像信号Ｎに対応するサブフレームデータＳＦｒが読み出される。
【００３４】
図３の例では，同期タイミングＶ２のフレーム期間中に映像モードが切り換えられる。そのため，映像モード判別ユニット１０は，同期タイミングＶ３までは映像モードＭ１を判別するが，同期タイミングＶ３によりその外部同期信号ＥＶｓｙｎｃの周期が不安定状態になったことを検出し，検出される映像モードが不確定な状態（ＵＮＫＯＷＮ）になる。ただし，映像モード判別ユニット１０は，映像モードが確定するまでは，映像モード信号ＶＭｏｄｅを前映像モードＭ１に維持する。
【００３５】
表示データ生成ユニット２０は，映像モードＶＭｏｄｅ＝Ｍ１に対応して表示データであるサブフレームデータＳＦｗを生成するので，同期タイミングＶ３のフレーム期間では，入力映像信号Ｎ＋２，Ｎ＋３に対応するサブフレームデータＳＦｗが第１のフレーム領域ＦＭ１に書き込まれる。その結果，次の同期タイミングＶ４のフレーム期間では，その入力映像信号Ｎ＋２，Ｎ＋３のサブフレームデータＳＦｒが第１のフレーム領域ＦＭ１から読み出される。この読み出されるサブフレームデータＳＦｒは，不完全な画像であり，そのまま表示すると乱れた画像になる。
【００３６】
さらに，映像モード判別ユニット１０は，外部垂直同期信号ＥＶｓｙｎｃの周期が数フレーム，例えば２フレーム，にわたって安定して一定の周期をもつことを検出して初めて映像モードの切り換えを検出する。したがって，同期タイミングＶ３後の２フレーム期間は，映像モードは不確定な状態になる。しかし，内部の映像モード信号ＶＭｏｄｅは，未だ新たな映像モードＭ２に切り換えられず，サブフレームデータ生成ユニット１４などは，不確定になる前の映像モードＭ１に応じたサブフレームデータＳＦｗを生成する。それゆえ，入力映像信号Ｖｉｎと内部の映像モードＭ１との間に不整合が発生し，生成されるサブフレームデータＳＦｗは不完全な画像になる。
【００３７】
したがって，従来の表示制御装置では，外部同期信号ＥＶｓｙｎｃの周期が変化すると，その周期が安定するまでのマスク期間Ｔｍの間，全面黒を表示するサブフレームデータＳＦｒを生成し，表示パネルには全面黒画面を表示するようにしている。
【００３８】
発局（チャネル）が切り換えられた場合も，上記の映像モード切り換え時と同様に画像の乱れが生じる。
【００３９】
図４は，外部同期信号にノイズ発生時の表示制御装置１００の動作タイミング図である。図４も，従来の動作を示している。この例では，垂直同期タイミングＶ０〜Ｖ５全て同じ映像モードの入力映像信号Ｖｉｎを受信し，垂直同期タイミングＶ２で外部垂直同期信号ＥＶｓｙｎｃにノイズパルスＮＺが発生している。よって，垂直同期タイミングＶ０〜Ｖ５の全てにおいて，同じ映像モードの入力映像信号Ｎ〜Ｎ＋５が入力される。また，映像モード判別ユニット１０は，外部垂直同期信号ＥＶｓｙｎｃからノイズパルスＮＺを除去した内部垂直同期信号ＩＶｓｙｎｃを生成する。また，映像モード判別ユニット１０は，外部垂直同期信号ＥＶｓｙｎｃの周期を監視し，その映像モードを判別し，映像モード信号ＶＭｏｄｅを生成する。メモリ制御ユニットＭＣＯＮは，内部垂直同期信号ＩＶｓｙｎｃに応答して，第１及び第２のフレームメモリ領域ＦＭ１，ＦＭ２への書き込みと読み出しを交互に切り換える。
【００４０】
垂直同期タイミングＶ２のフレーム期間で外部垂直同期信号にノイズパルスＮＺが発生したため，映像モード判定ユニット１０は，外部垂直同期信号の周期の変化を検出し，映像モードが不確定状態（ＵＮＫＯＷＮ）になる。ただし，前述と同様に，内部の映像モードはノイズパルス発生前の映像モードＭ１のまま維持される。そして，垂直同期タイミングＶ３，Ｖ４の２フレーム期間においてその周期が安定して映像モードＭ１に対応するものであることが検出されると，映像モード信号ＶＭｏｄｅは映像モードＭ１で確定する。
【００４１】
この場合，映像モードが不確定状態において，その前の映像モードＭ１を維持して表示制御装置が動作すれば，入力映像信号Ｎ〜Ｎ＋５に対応する表示データをそのまま表示手段に供給することができ，画面の乱れは発生しない。しかし，外部垂直同期信号ＥＶｓｙｎｃの周期に乱れが発生したことを検出すると，映像モードの切り換えが発生したのか単にノイズパルスが発生したのかを区別して検出することができないので，従来では，映像モードが確定するまでのマスク期間Ｔｍにおいて，全面黒の画像を表示している。
【００４２】
以上のとおり，従来の装置では，映像乱れを防止するために外部垂直同期信号の周期に変化が発生するとその周期が安定的に検出されるまでのマスク期間Ｔｍで，全面黒の画像になる表示信号が出力されている。
【００４３】
図５は，本実施の形態における表示モード切り換え時の表示制御装置１００の動作タイミング図である。この例は，図３と同様のタイミングで映像モードがモードＭ１からＭ２に切り換えられている。つまり，同期タイミングＶ２のフレーム期間中に同期タイミングＶ３で映像モードが切り換えられ，外部垂直同期信号ＥＶｓｙｎｃの周期が変更される。
【００４４】
本実施の形態では，映像モード判別ユニット１０が，外部垂直同期信号ＥＶｓｙｎｃの周期を監視し，周期の切り換えられると，安定化信号ＳＴＢを不安定状態（Ｈレベル）に切り換える。映像モードは不確定状態になるが，内部の映像モード信号ＶＭｏｄｅは，前のモードＭ１のまま維持される。そして，その後，外部垂直同期信号ＥＶｓｙｎｃの周期をカウントし，数フレームにわたり（図５の例では２フレーム）同じ周期が検出された時に，映像モード信号ＶＭｏｄｅを新たな映像モードＭ２に切り換え，同期タイミングＶ６以降のフレームから安定化信号ＳＴＢを安定状態（Ｌレベル）にする。つまり，映像モード判別ユニット１０は，同期タイミングＶ３とＶ４の２つのフレーム期間で外部垂直同期信号ＥＶｓｙｎｃの周期の安定を検出し，同期タイミングＶ５のフレームで映像モード信号ＶＭｏｄｅをモードＭ２に切り換え，そのフレームで安定化信号ＳＴＢの切り換え動作を行い，次の同期タイミングＶ６のフレームから安定化信号ＳＴＢを安定状態（Ｌレベル）にする。
【００４５】
メモリ制御ユニットＭＣＯＮは，この安定化信号ＳＴＢが安定状態（Ｌレベル）の間は，従来通り，第１及び第２のフレーム領域ＦＭ１，ＦＭ２への書き込みと読み出しとを交互に切り換えて制御し，安定化信号ＳＴＢが不安定状態（Ｈレベル）の間は，第１及び第２のフレーム領域ＦＭ１，ＦＭ２の書き込みと読み出しの切り換えを停止する。つまり，同期タイミングＶ２のフレームで設定した第１のフレーム領域ＦＭ１の書き込み状態Ｗ１と第２のフレーム領域ＦＭ２の読み出し状態Ｒ２を，同期タイミングＶ３，Ｖ４，Ｖ５のフレームにおいても維持する。このように制御することで，同期タイミングＶ１のフレームで第２のフレーム領域ＦＭ２に正常に書き込まれた表示データ（サブフレームデータ）ＳＦｒが，同期タイミングＶ４，Ｖ５のフレーム期間においても繰り返し表示手段に供給される。つまり，入力映像信号Ｎ＋１に対応する表示データが繰り返し出力されて，表示手段にはその画像が繰り返し表示される。このように，図５中の静止画像表示期間Ｔｓにて，同期タイミングＶ２のフレームと同じ画像が繰り返し表示される。
【００４６】
そして，映像モード判別ユニット１０では，同期タイミングＶ４のフレーム期間で外部垂直同期信号ＥＶｓｙｎｃの周期の安定状態が検出されると，その次の同期タイミングＶ５のフレーム期間で，安定化信号ＳＴＢを安定状態にする制御が行われ，後続する同期タイミングＶ６以降のフレームから安定化信号ＳＴＢが安定状態（Ｌレベル）になる。これに応答して，メモリ制御ユニットＭＣＯＮは，第１及び第２のフレーム領域ＦＭ１，ＦＭ２への書き込みと読み出しのフレーム毎の切り換えが再開される。よって，同期タイミングＶ５のフレームでは，入力映像信号Ｎ＋５に対する表示データが第１のフレーム領域ＦＭ１に書き込まれているので，安定化信号ＳＴＢが安定状態（Ｌレベル）になる同期タイミングＶ６のフレームでは，その表示データが第１のフレーム領域ＦＭ１から読み出され，表示手段に供給される。
【００４７】
以上のように，本実施の形態では，映像モード判別ユニット１０が外部垂直同期信号ＥＶｓｙｎｃの周期の変化を検出すると安定化信号ＳＴＢを不安定状態にし，それに応答して，メモリ制御ユニットＭＣＯＮは，第１及び第２のフレームメモリＦＭ１，ＦＭ２の書き込み・読み出し切り換えを停止する。これにより，適切に書き込まれた表示データを外部垂直同期信号が安定化するまでの間繰り返し出力することができ，表示画面の乱れをなくすと共に，従来例のように全面黒の画像を表示することも回避できる。そして，静止画表示期間Ｔｓにおいても，一方のフレームメモリ領域への表示データの書き込みを継続するので，外部垂直同期信号ＥＶｓｙｎｃの周期が安定した後は，表示制御装置１００は即座に適切なフレーム画像Ｎ＋５を出力することができる。
【００４８】
発局（チャネル）が切り換えられた場合も，上記の映像モード切り換え時と同様の動作により，表示画像の乱れを回避することができる。つまり，チャネルが切り換えられたフレームにおいて，一時的に表示モードが不確定の状態になり，切り換え直後のフレームで映像モードが確定する。したがって，図３に示したのと同様の動作により，切り換え時において切り換え前のチャネルの画像が２フレームの期間表示された後に，切り換え後のチャネルの画像が正常に表示される。
【００４９】
図６は，本実施の形態における外部同期信号にノイズ発生時の表示制御装置１００の動作タイミング図である。この例も，図４と同様に，同期タイミングＶ２のフレームで外部垂直同期信号ＥＶｓｙｎｃにノイズパルスＮＺが発生している。映像モード判別ユニット１０は，ノイズパルスＮＺの発生により，外部垂直同期信号ＥＶｓｙｎｃの周期の変化を検出し，安定化信号ＳＴＢを不安定状態（Ｈレベル）に切り換える。それに応答して，メモリ制御ユニットＭＣＯＮは，同期タイミングＶ３のフレーム以降，第１及び第２のフレーム領域ＦＭ１，ＦＭ２の書き込みと読み出しの切り換えを停止する。そのため，同期タイミングＶ１のフレームで第２のフレームメモリＦＭ２に書き込んだ入力映像信号Ｎ＋１に対する表示データＳＦｒが，同期タイミングＶ２のフレーム以降，繰り返し読み出され，表示手段に出力される。このため，静止画表示期間Ｔｓの間，表示手段からは入力映像信号Ｎ＋１のフレーム画像が静止画として出力される。
【００５０】
映像モード判別ユニット１０は，同期タイミングＶ３とＶ４のフレームで，外部垂直同期信号ＥＶｓｙｎｃの周期が安定していることを検出し，同期タイミングＶ５のフレームから映像モード信号ＶＭｏｄｅをモードＭ１に確定する。さらに，映像モード判別ユニット１０は，同期タイミングＶ６のフレームから安定化信号ＳＴＢを安定状態（Ｌレベル）に切り換える。それに伴って，同期タイミングＶ５のフレームで第１のフレーム領域ＦＭ１に書き込まれた入力映像信号Ｎ＋５の表示データＳＦｒが，同期タイミングＶ６のフレームで読み出され，表示手段に供給される。それ以降は，メモリ制御ユニットＭＣＯＮは，第１及び第２のフレーム領域ＦＭ１，ＦＭ２の書き込みと読み出しの切り換えを再開して，外部映像信号に対応する表示データの書き込みと読み出しを交互に行う。
【００５１】
上記のとおり，外部垂直同期信号ＥＶｓｙｎｃにノイズパルスが発生した場合も，表示制御装置１００は，ノイズパルス発生前に適正にフレームメモリに書き込まれた表示データを繰り返し読み出して，表示手段に供給するので，画面の乱れは全面黒の画像表示を回避することができる。
【００５２】
上記実施の形態で，映像判別ユニット１０は，外部垂直同期信号の周期の安定を２フレーム期間検出すると，映像モード信号を検出映像モードにし，安定化信号を安定化状態にしているが，この安定状態の判別に必要なフレーム数は，２フレームに限定されず適宜設定可能である。ただし，複数フレームにすることで，ノイズパルスに過剰応答して映像モードの切り換えが早まっておこなわれることを回避できる。
【００５３】
上記の実施の形態では，ＰＤＰ表示装置の表示制御装置を例にして説明した。しかし，本実施の形態は，ＰＤＰ表示装置に限られず，入力映像信号から表示データを生成し，その表示データに基づいて表示駆動される表示装置，例えば，液晶表示装置やエレクトロ・ルミネッセンス表示装置の表示制御装置にも適用可能である。
【００５４】
以上の実施の形態をまとめると，次の付記のとおりである。
【００５５】
（付記１）入力同期信号と入力映像信号を供給され，前記入力映像信号から前記入力同期信号に基づいて表示データを生成し，表示手段に当該表示データを供給する表示制御装置において，
前記入力同期信号の周期の変化を検出した時に，その後の所定数のフレーム期間にわたり，当該周期の変化が発生する前のフレームの表示データを前記表示手段に供給する表示制御装置。
【００５６】
（付記２）付記１において，
前記入力同期信号に基づいて映像モードを判別する映像モード判別ユニットと，
前記入力映像信号から表示データを生成する表示データ生成ユニットと，
前記表示データをフレームに対応して格納するフレームメモリと，
当該フレームメモリへの表示データの書き込みと読み出しを制御するメモリ制御ユニットとを有し，
前記メモリ制御ユニットは，第１のフレームの入力映像信号から生成された第１の表示データを前記フレームメモリに書き込み，前記第１のフレームに後続する第２のフレームにおいて前記フレームメモリから第１の表示データを読み出して，前記表示手段に供給し，
さらに，第２のフレーム期間で前記映像モード判別ユニットが前記入力同期信号の周期の変化を検出すると，それに応答して，前記メモリ制御ユニットは，後続する所定数のフレーム期間において，前記第１の表示データを繰り返し表示手段に供給する表示制御装置。
【００５７】
（付記３）付記１において，
前記入力同期信号に基づいて映像モードを判別する映像モード判別ユニットと，
前記入力映像信号から表示データを生成する表示データ生成ユニットと，
前記表示データをフレームに対応して格納するフレームメモリと，
当該フレームメモリへの表示データの書き込みと読み出しを制御するメモリ制御ユニットとを有し，
前記メモリ制御ユニットは，第１のフレームメモリ領域と第２のフレームメモリ領域とに交互に現フレームの入力映像信号の表示データを書き込み，交互に前フレームの入力映像信号の表示データを読み出して表示手段に供給し，
さらに，前記映像モード判別ユニットが前記入力同期信号の周期の変化を検出すると，それに応答して，前記メモリ制御ユニットは，後続するフレーム期間において，当該周期の変化を検出する前のフレーム期間において前記フレームメモリに書き込んだ表示データを繰り返し表示手段に供給する表示制御装置。
【００５８】
（付記４）付記３において，
前記メモリ制御ユニットは，前記後続するフレーム期間において，各フレーム期間の入力映像信号に対応する表示データを一方のフレームメモリ領域に書き込み，前記周期の変化を検出する前のフレーム期間において前記フレームメモリに書き込んだ表示データを他方のフレームメモリ領域から読み出す表示制御装置。
【００５９】
（付記５）付記１において，
前記所定数のフレーム期間後は，入力映像信号に対応する表示データを前記表示手段に供給する表示制御装置。
【００６０】
（付記６）付記１において，
前記入力同期信号の周期が複数フレームにわたり安定したことを検出した時に，その後，前記周期の変化が発生する前のフレームの表示データの前記表示手段への供給を終了し，入力映像信号に対応する表示データの前記表示手段への供給を再開する表示制御装置。
【００６１】
（付記７）付記１において，
前記表示手段は，プラズマディスプレイパネルであり，
前記表示データは，前記フレーム期間内に割り当てられそれぞれ表示輝度が異なる複数のサブフレームのデータであることを特徴とする表示制御装置。
【００６２】
（付記８）入力同期信号と入力映像信号を供給され，前記入力映像信号から前記入力同期信号に基づいて表示データを生成し，表示手段に当該表示データを供給する表示制御装置において，
前記入力同期信号から映像モードの変化を検出した時に，その後の所定数のフレーム期間にわたり，当該映像モードの変化が発生する前のフレームの表示データを前記表示手段に供給し，前記所定数のフレーム期間後は入力映像信号に対応する表示データを前記表示手段に供給する表示制御装置。
【００６３】
（付記９）入力同期信号と入力映像信号を供給され，前記入力映像信号から前記入力同期信号に基づいて表示データを生成する表示制御装置と，
前記表示制御装置から表示データを供給され，当該表示データに基づいて表示を行う表示手段とを有する表示装置において，
前記表示制御装置は，前記入力同期信号の周期の変化を検出した時に，その後の所定数のフレーム期間にわたり，当該周期の変化が発生する前のフレームの表示データを前記表示手段に供給することを特徴とする表示装置。
【００６４】
（付記１０）付記９において，
前記表示制御装置は，前記所定数のフレーム期間後は，入力映像信号に対応する表示データを前記表示手段に供給することを特徴とする表示装置。
【００６５】
（付記１１）入力同期信号と入力映像信号を供給され，前記入力映像信号から前記入力同期信号に基づいて表示データを生成する表示制御装置と，
前記表示制御装置から表示データを供給され，当該表示データに基づいて表示を行う表示手段とを有する表示装置において，
前記表示制御装置は，前記入力同期信号から映像モードの変化を検出した時に，その後の所定数のフレーム期間にわたり，当該映像モードの変化が発生する前のフレームの表示データを前記表示手段に供給し，前記所定数のフレーム期間後は入力映像信号に対応する表示データを前記表示手段に供給することを特徴とする表示装置。
【図面の簡単な説明】
【００６６】
【図１】本実施の形態における表示制御装置の構成図である。
【図２】本実施の形態における表示手段である表示パネルの構成図である。
【図３】表示モード切り換え時の表示制御装置１００の動作タイミング図である。
【図４】外部同期信号にノイズ発生時の表示制御装置１００の動作タイミング図である。
【図５】本実施の形態における表示モード切り換え時の表示制御装置１００の動作タイミング図である。
【図６】本実施の形態における外部同期信号にノイズ発生時の表示制御装置１００の動作タイミング図である。
【符号の説明】
【００６７】
１００：表示制御装置            １０：映像モード判別ユニット
２０：表示データ生成ユニット      ＭＣＯＮ：メモリ制御ユニット
ＦＭ：フレームメモリ              ＦＭ１，ＦＭ２：第１及び第２のフレーム領域
【図１】
2006235151.tif 000003
【図２】
2006235151.tif 000004
【図３】
2006235151.tif 000005
【図４】
2006235151.tif 000006
【図５】
2006235151.tif 000007
【図６】
2006235151.tif 000008